Podtech/llm-jp-corpus-v4-ja_patent huggingface dataset:
(57)【要約】      （修正有）【課題】歯の治療時は、健康の歯と同じように物が食べられなかった状態を、健康時と同じ状態に食べられるようにする携帯に便利な歯カバーを提供する。歯ぎしりを防止にも有効な歯カバーを提供する。【解決手段】歯型から歯カバーの内側となる型を取り、外側部分は個人差がある噛み合わせ部分を正常な噛み合わせとなるよう成型して造る。歯カバーの上１と下２を固定するように金具３を付ける。【選択図】  図１
2006289011.tif 000002
【特許請求の範囲】
【請求項１】
日常使用してる歯と歯茎にそったカバーで歯の治療中でも歯カバーをすれば健康時と同じ状態に食べ物が食べられる様になおかつ持ち運びに便利にした歯カバー
【請求項２】
本来個人が持っている歯の形状は異なるがそれはカバーの内側の事で外側はおしゃれに、きれいに、個性的に、又色彩をほどこすことにより用途が広がる。材質を使用する人により選定可能。
【請求項３】
一体型の物に加え、歯と歯茎を分割、又個々の歯を分割すれば、パーツ事の交換が容易になり、いっそう清潔観も保たれる。
【請求項４】
上と下を動かないよう固定する。それを歯ぎしりする人に就寝する前に着けて、寝れば歯ぎしり防止になる。
【発明の詳細な説明】
【発明の詳細な説明】
【技術分野】
【０００１】本発明は、歯型形状に歯カバーの内側を合わせ外側は上下の噛み合せを考慮し健康時と変わらぬ噛み合わせにする、
又本発明は、かみ合わせは各個人特徴があるので、健康な歯の人でも歯カバーを付けて食べ物を食べれば、噛み合わせ部は製作の時に、正常の人と同じにしておくので、本来持っている噛み合わせに関係なく食べられる。付ける、外すを簡単に出きるよう製作してあるので、持ち運びに便利である。
【背景技術】
【０００２】従来、歯の治療はドリルで歯を削ったあと、つめものをして治療をしている。治療中はどうしても一時的に詰めた物が取れてしまう。
正常時の様にどうしても噛めない。
入れ歯、競技用マウスピース等はあるが、治療用や健康の歯に対しての使用目的の物はない。
【発明を実施するための最良の形態】
【０００３】本発明は、歯の治療中の人に、健康の歯の時と同じ状態で食べ物が食べられる様したものである。
なおかつ、脱着可能にして自宅、外出先でも使用可能にしたものである。
又、上の歯と下の歯を固定すれば、歯ぎしり防止にもなる。
それを図面について説明すれば、上の歯と下の歯のカバーの内側部を人の歯の形状に合わせ、外側部は上下噛み合せの良い状態に造る。
上の歯カバー１と下の歯カバー２を固定金具３で固定する。
【発明の効果】
【０００４】以上のようにすれば治療中の人でも、健康の歯の状態と同じように、食べ物が食べられ、消化によく消化不良が避けられる。
【図面の簡単な説明】
【図１】  歯カバーの装着図である。
【図２】  固定金具をつけた図である。
【符号の説明】
１上の歯カバー
２下の歯カバー
３固定金具
【図１】
2006289011.tif 000003
【図２】
2006289011.tif 000004
(57)【要約】【課題】本発明は車椅子の肘かけ部分に収納が付いたもので、安全な移動と手の届く範囲に物を保管でき、自分にあった使い勝手で選べ取り付けれるという車椅子である。【解決手段】車椅子肘かけ部分に収納ボックスの付いた肘かけのある車椅子である。【選択図】図３
2006289012.tif 000002
【特許請求の範囲】
【請求項１】
車椅子の肘かけ部分に、収納ボックス付きの肘かけが付いた車椅子である。
【発明の詳細な説明】
【発明の詳細な説明】
【技術分野】
【０００１】  この発明は、車椅子の肘かけに収納ボックスを付けたものである。
【背景技術】
【０００２】  従来の車椅子は後部にしかポケットが無く、車椅子に座った状態では手の届く範囲に物を保管する所がない為、よくフレームやブレーキの棒の側面に、巾着袋などを吊り下げた状態、太ももの上に物を置いた状態、片手で物を持った状態で車椅子の走行している人が多く危険であり、使い勝手が悪い状況である。
【発明が解決しようとする課題】
【０００３】イ  車椅子乗車中では、後部ポケットより物を取り出すのは障害者だけではなく健常者にとっても難しいことである。ロ  車椅子には後部にしかポケットが無いため、鉛筆、めがね、飲み物、小物類を簡単に取り出せ保管するところが手の届く範囲にない。ハ  車椅子の運転が袋に入れた荷物をフレームの側面やブレーキレバーに吊り下げた状態、片手で持った状態、ひざの上に置いた状態では、走行に支障をきたし危険である。飲み物、缶ジュース類は、一度開けると飲みほすしかない。ニ  障害者の方は入れ歯、めがね等を間違えてどこでも置き忘れてしまうことがあり車椅子に保管することで自己管理ができ紛失防止、痴呆も防ぐことができ自立を図れる。ホ  ドリンクホルダーで熱いお茶による火傷を防げる。ヘ  移動時の両手の自由を確保できる。
【課題を解決するための手段】
【０００４】  車椅子の肘かけ部分にドリンクホルダー、収納ボックスが付いた物である。
【発明を実施するための最良の形態】
【０００５】  以下本発明の形態を説明する。イ  （１）肘あて蓋上部▲１▼（２）肘あて蓋上部▲２▼（３）肘あて収納下部（４）スライド軸部（５）ホルダー固定部（６）ドリンクホルダー部（７）小物収納部（８）ネジ固定部（９）高さ調節用肘かけ（１０）クッション部の構成である。ロ  （１）（２）部分は個別に真横にスライド開閉でき、（２）のみ開けてドリンクホルダー部を使用し（１）を開けず肘かけとして使用することが可能である。ハ  ドリンクホルダー部（６）は底部分に溝を設けホルダー固定部（４）は防振用に押さえがついており、飲み物がこぼれないようにしている。二  使用者の麻痺、利き手等の使い勝手により肘かけ部は、収納ボックス部（左開き、右開き）、高さ調節用肘かけ（左、右対称）の４タイプの構造とし両方に収納部、片方どちらかに収納部をつけた車椅子にすることができる。  本発明は以上の構成よりなっている。
【発明の効果】
【０００６】  本発明を使用することによって、よくフレームやブレーキの棒など側面に巾着袋などを吊り下げた状態での危険や、手がふさがることによる危険を防止できる。又筆記用具、趣味の小物、めがね、飲み物等使いやすいものを手の届く範囲に保管することができ、より有意義な生活にて、痴呆症状の悪化を防止し、本人の自立を図れるものである。
【図面の簡単な説明】
【図１】本発明の正面図
【図２】本発明の取り付け右断面図
【図３】本発明の取り付け右側面図
【符号の説明】
（１）肘あて蓋上部▲１▼（２）肘あて蓋上部▲２▼（３）肘あて収納下部  （４）スライド軸部（５）ホルダー固定部（６）ドリンクホルダー部  （７）小物収納部（８）ネジ固定部（９）高さ調節用肘かけ  （１０）クッション部
【図１】
2006289012.tif 000003
【図２】
2006289012.tif 000004
【図３】
2006289012.tif 000005
(57)【要約】      （修正有）【課題】既存のカールドライヤーに毛髪を押さえる補助具を取り付ける事により、カールドライヤーと補助具との間に毛髪を挟み片手で簡単に短時間で毛髪を乾燥及び整髪できること。【解決手段】既存のカールドライヤー３と補助具２とを一体化させた状態で補助具部分本体２ａとの間に毛髪を挟む事で毛髪の乾燥及び整髪が簡単に短時間で出来る。【選択図】図１
2006289038.tif 000002
【特許請求の範囲】
【請求項１】
カ−ルドライヤ−の温風、冷風の吹き出し口に毛髪を密着させる事を特徴とする補助具である。
【請求項２】
補助具には一定間隔の風穴が設けられている事により、短時間で乾燥、髪型の整髪をはかる事が出来る事を特徴とする補助具。また、一定間隔の風穴が設けられていないもの、風穴がランダムに設けられているものもある。
【請求項３】
本発明の補助具は毛髪を押さえる部分がフォ−ク状になっており、カ−ルドライヤ−のくし部に当たる事無く毛髪を容易に押さえる事が出来る補助具である。
また、フォ−ク状ではない形状の補助具もある。
【発明の詳細な説明】
【発明の詳細な説明】
【産業上の利用分野】
【０００１】  本発明は、毛髪を乾燥及び、形成する際の時間短縮及び、髪型の整髪を容易にするドライヤ−及びブラシに関するものである。
【背景技術】
【０００２】  従来、毛髪を乾かす為にハンドドライヤ−とクシを用いたり、また、ドライヤ−とクシとを一体化させたカ−ルドライヤ−を用いていた。両手を使う事は当たり前の事と考えられていた。
【発明が解決しようとする課題】
【０００３】  従来のドライヤ−とクシとを一体化させたカ−ルドライヤ−では温風及び冷風が毛髪のみにかからず、乾くまで時間がかかり、毛髪を思い通りに片手で整髪する事は容易ではなく、また、毛髪の片面のみに温風及び冷風がかかるのでなく、温風及び冷風を効率良く毛髪にかかるようにし、毛髪を簡単に短時間で乾かし、思い通りに整髪できるように解決しようとするものである。
【課題を解決する為の手段】
【０００４】  本発明はドライヤ−とクシとを一体化させたカ−ルドライヤ−のブラシ部分の形状を丸みのある形状から、平らな形状に変え、ブラシ部分と毛髪を挟む補助具を取り付ける事により、ブラシ部分から吹き出された温風及び冷風が無駄無く毛髪にかかり手早く乾かす事ができ、またブラシ部分と補助具により毛髪が固定されるので片手で容易に髪型の整髪をすることができる。また、補助具に風穴を開ける事により、さらに毛髪に風が無駄無くかかるので、短時間で乾燥及び整髪ができ、また、風穴を開けることにより、毛髪に温風をかけた時の熱のかかり過ぎによる毛髪への傷みの緩和も兼ね備え、それらにより問題点を解決している。
【作用】
【０００５】  上述の様に、本発明のカ−ルドライヤ−補助具は毛髪を乾燥、整髪する時の時間短縮を容易に行えるようするものである。
【実施例】
【０００６】  以下、添付図面に従って一実施例を説明する。
１は既存のカ−ルドライヤ−に本発明の補助具とを一体化させた状態、２は毛髪に適度な熱及び風をあてる為の風穴を有し、毛髪を押さえる為の補助具部分本体。【０００７】  本発明の一実施例は上述の如き構成からなるものであるから既存のカ−ルドライヤ−と補助具とを一体化させた状態１と補助具部分本体２の間に毛髪を挟み乾燥及び整髪ができる事は勿論であるが、既存のカ−ルドライヤ−と補助具とを一体化させた状態１と補助具部分本体２とを毛髪を挟まず密着させることにより既存のカ−ルドライヤ−としてももちいる事もできる。
【発明の効果】
【０００８】  上述の様に、本発明のカ−ルドライヤ−補助具は毛髪の乾燥は勿論、短時間で容易に整髪ができ、また、片手だけで行えるので肩の上がりにくい人や片手の不自由な人でも使う事ができる。
【図面の簡単な説明】
【図１】本発明のカ−ルドライヤ−補助具の一実施例を示す平面図である。
【図２】カ−ルドライヤ−と補助具を一体化し毛髪を挟んだ状態を示した平面図である。
【図３】本発明の補助具部分の拡大図である。
【符号の説明】
１  既存のカ−ルドライヤ−に本考案の補助具とを一体化させた状態
２  本発明補助具部分
３  カ−ルドライヤ−本体
２ａ  毛髪を押さえる部分
２ｂ  補助具の風穴
Ａ  毛髪
３ａ  カ−ルドライヤ−のくし部
【図１】
2006289038.tif 000003
【図２】
2006289038.tif 000004
【図３】
2006289038.tif 000005
(57)【要約】      （修正有）【課題】老人及び身障者の方が、夜間ステッキをついて歩行する時、足元が暗く見えにくいためつまずいたり転倒する危険を防止する。【解決手段】ステッキに照明を設けて、夜間でも足元を明るく照らして転倒を防止することができる。又、球切れしないＬＥＤを採用しＬＥＤは角度を替えれるようにするスイイチの切替で全体を照らしたり、スポットライトのように１点だけを照らすことも可能である。【選択図】図１
2006289040.tif 000002
【特許請求の範囲】
【請求項１】
スイッチを配設する握りと、照明を配設する支柱、又支柱に乾電池収納スペースを設けたステッキ（照明付）。
【発明の詳細な説明】
【技術分野】
【０００１】本発明は、老人及び身障者の夜間の安全歩行を図ったステッキに関する。
【背景技術】
【０００２】往来のステッキ（杖）には、照明を付けたものは、ありません。
【発明の開示】
【発明が解決しようとする課題】
【０００３】老人及び身障者の方が夜間ステッキをついて歩行する時、足元が暗く見えにくいので、つまずき転倒する危険があった。【０００４】本発明は、夜間足元を明るくする事で安全を確保することを、目的とするものである。
【課題を解決するための手段】
【０００５】そして、本発明は上記目的を達成するためにステッキに照明を取付けた。支柱上部にスイッチを設けて、いつでも簡単に照明をつけれるようにした。
【発明の効果】
【０００６】上述したように本発明のステッキは、足元を明るく照らして、段差等によるつまずき転倒を防止します。又夜間運転手の方が早期発見できる。
【発明の実施するための最良の形態】
【０００７】球切れしないＬＥＤを採用、乾電池を使用します。ＬＥＤは角度を替えれるようにします。スイイチの切替で全体を照らしたり、スポットライトのように１点だけを照らしたりします。
【図１】
2006289040.tif 000003
【手続補正書】
【提出日】平成17年6月16日(2005.6.16)
【手続補正１】
【補正対象書類名】明細書
【補正対象項目名】全文
【補正方法】変更
【補正の内容】
【発明の詳細な説明】
【技術分野】
【０００１】本発明は、老人及び身障者の夜間の安全歩行を図ったステッキに関する。
【背景技術】
【０００２】往来のステッキ（杖）には、照明を付けたものは、ありません。
【発明の開示】
【発明が解決しようとする課題】
【０００３】老人及び身障者の方が夜間ステッキをついて歩行する時、足元が暗く見えにくいので、つまずき転倒する危険があった。【０００４】本発明は、夜間足元を明るくする事で安全を確保することを、目的とするものである。
【課題を解決するための手段】
【０００５】そして、本発明は上記目的を達成するためにステッキに照明を取付けた。
支柱上部にスイッチを設けて、いつでも簡単に照明をつけれるようにした。
【発明の効果】
【０００６】上述したように本発明のステッキは、足元を明るく照らして、段差等によるつまずき転倒を防止します。又夜間運転手の方が早期発見できる。
【発明の実施するための最良の形態】
【０００７】球切れしないＬＥＤを採用、乾電池を使用します。
ＬＥＤは角度を替えれるようにします。
スイイチの切替で全体を照らしたり、スポットライトのように１点だけを照らしたりします。
【図面の簡単な説明】
【０００８】
【図１】本発明の構造及び外観図
【符号の説明】
【０００９】１    握り
２    手元スイッチ
３    乾電池
４    支柱
５    ＬＥＤ
６    先ゴム
2006289040.tif 000004
(57)【要約】【課題】従来のポット、魔法瓶、やかん（湯沸し機能付きポット、湯沸し機能付き魔法瓶、湯沸し機能付きやかんを含む）では、出水量および出水速度を調節できないために、使い勝手に不自由があった。【解決手段】ポット、魔法瓶、やかん（湯沸し機能付きポット、湯沸し機能付き魔法瓶、湯沸し機能付きやかんを含む）本体に出水量および出水速度を調節する機能を付加する。【特許請求の範囲】
【請求項１】
ポット、魔法瓶、やかん（湯沸し機能付きポット、魔法瓶、やかんを含む）に出水量および出水速度調節機能を付加する。
【発明の詳細な説明】
【技術分野】
【０００１】本発明は従来のポット、魔法瓶、やかん（湯沸し機能付きポット、湯沸し機能付き魔法瓶、湯沸し機能付きやかんを含む）における出水量および出水速度を調節する機能を付加するものである。
【背景技術】
【０００２】出水量および出水速度調節機能
【発明の開示】
【発明が解決しようとする課題】
【０００３】使用勝手に合わせて出水量および出水速度を調節できるようにする。
【課題を解決するための手段】
【０００４】ポット、魔法瓶、やかん（湯沸し機能付きポット、湯沸し機能付き魔法瓶、湯沸し機能月付きやかんを含む）の本体部分に出水量、出水速度を調節できる機能を付加する。
【発明の効果】
【０００５】従来品では出水量の多少もしくは、出水速度が一律であるために困難であったり、不可能だったことが、調節機能を付加することで容易に、もしくは可能となる。
【発明を実施するための最良の形態】
【０００６】ポット、魔法瓶、やかん（湯沸し機能付きポット、湯沸し機能付き魔法瓶、湯沸し機能付きやかんを含む）の本体部分に取り付けられた操作機能により出水量、出水速度の調節できるようにする。
【実施例】
【０００７】湯沸し魔法瓶の出水量を少なく、遅くすることで、簡易ドリップ式コーヒーなどの使い勝手をより良くすることができる。
【産業上の利用可能性】
【０００８】従来のポット、魔法瓶、やかん（湯沸し機能付きポット、湯沸し機能付き魔法瓶、湯沸し機能付きやかんを含む）に出水量、出水速度の調節機能を付加することで、利用範囲が広がり、より便利になる。
(57)【要約】【課題】従来の洋式便器は、和式便器になれてる日本人にとって排便しずらく、和式便器は時間の経過につれて足が疲れてくる。【解決手段】従来の洋式便器の、便座の手前に和式用の足をのせる台を設け、腰は今までの洋式便器と同じように便座に下ろし、足は台の上にのせて和式姿勢で用をたすことにより、洋式便器と和式便器の欠点が補える。【選択図】図１
2006289035.tif 000002
【特許請求の範囲】
【請求項１】
従来の洋式便器に、便座の前方に便座の高さよりも低い位置に、和式姿勢用の「足のせ台」を備えた（図１）ことを特徴とする便器。
【請求項２】
従来の洋式便器において、単体で製造された「足のせ台」（図１５）、又は、簡易「足のせ台」（図７）を、セットアップさせた便器。
【発明の詳細な説明】
【技術分野】
【０００１】本発明は、洋式便器の構造に関する技術分野である。
【背景技術】
【０００２】和式便器と洋式便器は別々に製造、使用されていた。
【発明の開示】
【発明が解決しようとする課題】
【０００３】近年普及している洋式便器は、便座に腰を下ろして排便するため和式便器に比べ足への体重の負担は少ないが、和式便器になれている日本人は、洋式便器よりも和式便器の姿勢の方が排便がしやすく思われる。発明者自身そうである。しかし和式便器の姿勢では時間の経過につれて両足への体重の負担が大きくなり疲れてくる。本発明は洋式と和式の欠点を改善することを課題とする。
【課題を解決する為の手段】
【０００４】従来の洋式便器に和式用の「足のせ台」を備えた便器（図１）で、使用方法は、従来の洋式便器の使用と同じように、便器の前に立ち（図４）、便座に腰をおろし（図５、洋式姿勢）、その後両足を「足のせ台」にのせて（図６、和式姿勢）、排便する。用をすませた後は、先に両足を「足のせ台」から下ろし、その後、腰を上げる。
【発明による効果】
【０００５】洋式便器の便座と「足のせ台」に一定の段差をつけて和式姿勢になることにより、体重が臀部にかかるため従来の和式便器に比べ両足への体重の負担も少なくなり和式便器と洋式便器の欠点も補える。
【発明を実施するための最良の形態】
【０００６】従来の洋式便器に和式用の「足のせ台」を備えることにより和式姿勢（図６）でも排便ができる便器である。便座と「足のせ台」に一定の段差（５０ｍｍから２００ｍｍ）をつけることにより体重が臀部にかかるため、従来の和式便器に比べて両足への体重の負担は少なくなる。尚、本「足のせ台」は、洋式姿勢をとっても邪魔にならない大きさで、図２において横方向（３−４）を５００ｍｍから７００ｍｍとし、図３において縦方向（５−６）を０から１００ｍｍとする。従って、洋式姿勢を好む人は従来どうり使用できる。又、本「足のせ台」の上面には滑り止めのため凹凸をつける。
【発明を実施するための最良の形態】
【０００７】「足のせ台」を大きくとり、和式姿勢専用として使用する。使用例を図４−１、図６−１に示す。この場合の大きさを、図２において横方向（３−４）を６００ｍｍから８００ｍｍとし、図３において縦方向（５−６）１００ｍｍから３００ｍｍとする。（このサイズを和式専用サイズとする）。【０００８】すでに使用されている洋式便器については、図１５に示す「足のせ台」の部分だけを単体で製造し、本体１にセットアップさせて使用する。この場合材質は、本体１と同じ材質とし、上面は滑り止めのため凹凸をつける。たたし、本「足のせ台」の形は本体１の〈タイプ〉によって異なってくる。和式専用サイズも同様である。【０００９】さらにコストダウンを計るため単体で製造する簡易「足のせ台」を図７に示す。材質は、木製、鉄製、合成樹脂製で製造しブロック（図７、７）で高さ調整ができるものとし、上面には滑り止めに凹凸をつける。縦と横の長さは、図▲８▼に示すように本体１にセットアップしたとき、洋式姿勢で使用しても邪魔にならない大きさで、高さを１００ｍｍから３００ｍｍとし、横方向を５００ｍｍから７００ｍｍとし、縦方向を２５０ｍｍから４００ｍｍで、図８において（８−９）を１００ｍｍ以下とする。和式専用サイズも同様である。
「他の使用形態」【００１０】図１４に示すように簡易「足のせ台」の切り込みの形を本体１の断面に合わせて製造しセットアップして使用する。
【実施例】
【００１１】簡易「足のせ台」を実際に製作し、発明者が使用したところ、従来の洋式便器に比べ、排便がしやすく、長時間同じ姿勢でいても足が疲れることはなく発明の効果が十分であることが証明できた。現在も使用中である。
【図面の簡単な説明】図１  本、和洋式便器  斜視図            図２  正面図
図３  Ａ−Ａ断面図                      図４  使用前
図５  使用例（洋式姿勢）                図６  使用例（和式姿勢）
図４−１  使用例（和式専用）            図６−１使用例（和式専用）
図７  簡易「足のせ台」斜視図            図８  簡易「足のせ台」セット例
図９  簡易「足のせ台」上面図            図１０  簡易「足のせ台」平面図
図１１  簡易「足のせ台」下面図          図１２  簡易「足のせ台」床面図
図１３  簡易「足のせ台」右側面図        左側面図は右側面図に対象
図１４  簡易「足のせ台」他例斜視図      図１５  単体「足のせ台」斜視図
図１６  単体「足のせ台」平面図          図１７  単体「足のせ台」Ｂ−Ｂ断面図
図１８  単体「足のせ台」Ｃ−Ｃ断面図
【符号の説明】
１  本体                                  ２  足のせ台
３  「足のせ台」左端面                    ４  「足のせ台」右端面
５  便器先端１                            ６  「足のせ台」前端面
７  ブロック                              ８  便器先端２
９  簡易「足のせ台」前端面
【図１】
2006289035.tif 000003
【図２】
2006289035.tif 000004
【図３】
2006289035.tif 000005
【図４】
2006289035.tif 000006
【図５】
2006289035.tif 000007
【図６】
2006289035.tif 000008
【図４−１】
2006289035.tif 000009
【図６−１】
2006289035.tif 000010
【図７】
2006289035.tif 000011
【図８】
2006289035.tif 000012
【図９】
2006289035.tif 000013
【図１０】
2006289035.tif 000014
【図１１】
2006289035.tif 000015
【図１２】
2006289035.tif 000016
【図１３】
2006289035.tif 000017
【図１４】
2006289035.tif 000018
【図１５】
2006289035.tif 000019
【図１６】
2006289035.tif 000020
【図１７】
2006289035.tif 000021
【図１８】
2006289035.tif 000022
(57)【要約】【課題】電気掃除機を使用する際に、カーペットに付いた髪の毛やゴミ・埃をブラシで集め吸引する、電気掃除機用ブラシ型ノズルを提供する。【解決手段】ブラシ取り付けワクにブラシを取り付け、ワクの中心に穴をあけ、吸引ノズル口をはめ込み固定し、吸引ノズル柄に蛇腹ホースを取り付け、そのもう一つの端に掃除機本体に接続するノズルをつけ、電気掃除機吸引ホースに装着して、髪の毛やゴミ・埃をブラシをかけるように吸引することを特徴とする電気掃除機用ブラシ型ノズル。【選択図】図３
2006289039.tif 000002
【特許請求の範囲】
【請求項１】
ブラシ取り付けワクにブラシを取り付け、ワクの中心に穴をあけ、吸引ノズル口をはめ込み固定し、吸引ノズル柄に蛇腹ホースを取り付け、そのもう一つの端に掃除機本体に接続するノズルをつけ、電気掃除機吸引ホースに装着して、髪の毛やゴミ・埃をブラシをかけるように吸引することを特徴とする電気掃除機用ブラシ型ノズル。
【発明の詳細な説明】
【技術分野】
【０００１】  本発明は、電気掃除機を使用してカーペットを掃除する際に、カーペットに付いた髪の毛やゴミ・埃をブラシで集め、ブラシの中心にある吸引ノズルで掃除機本体に吸い込ませる、電気掃除機用ブラシ型ノズルに関するものである。
【背景技術】
【０００２】  従来、カーペットの掃除には、カーペット用掃除機ヘッドや粘着式カーペットクリーナー、掃除機用すき間ノズルを使用している。
【発明の開示】
【発明が解決しようとする課題】
【０００３】  そのために、次のような問題点があった。
カーペットに付いた髪の毛やゴミ・埃を、カーペット用掃除機ヘッドでは取りきれずに残ったり、粘着式カーペットクリーナーで取る場合は、カーペットの繊維が付着して粘着性がすぐに失われてしまうため、何枚も使用しなければならなかった。掃除機用すき間ノズルの場合は、ノズルの吸引口が細く狭いので、広い面を掃除する時には何度もノズルを左右に動かすため時間がかかり、手が疲れたり、髪の毛やゴミ・埃を取るのに効率が悪かった。
本発明は、以上の問題点を解決しようとするものである。
【課題を解決するための手段】
【０００４】  ブラシ取り付けワクにブラシを取り付け、ワクの中心に穴をあけ、吸引ノズル口をはめ込み固定し、吸引ノズル柄に蛇腹ホースを取り付け、そのもう一つの端に掃除機本体に接続するノズルをつけ、電気掃除機吸引ホースに装着して、髪の毛やゴミ・埃をブラシをかけるように吸引することを特徴とする電気掃除機用ブラシ型ノズル。
【発明の効果】
【０００５】  本発明は、カーペットに付いた髪の毛やゴミ・埃を、効率的に集めて掃除機に吸引させる。従って、費用もかからず時間の短縮ができ、手にかかる負担を少なくする。
【発明を実施するための最良の形態】
【０００６】  以下、本発明の実施の形態を説明する。
（イ）ブラシ取り付けワク（１）の周囲に、洋服用ブラシ（２）を等間隙に２列取り付ける。
（ロ）（イ）のワクの中心に吸引ノズル口はめ込み用穴（８）をあけ、吸引ノズル口（３）をはめ込み接続し、空気がもれないように固定する。このとき、洋服用ブラシ（２）と吸引ノズル口（３）は密着させないで、洋服用ブラシ（２）の先が吸引ノズル口（３）にちょうど届くほどの空間を設ける。従って、ブラシ取り付けワク（１）からの洋服用ブラシ（２）の毛足の長さは、吸引ノズル口（３）の突き出ている部分の長さよりも長くしておく。
（ハ）吸引ノズル口（３）には、切り込み（５）を入れておく。
（ニ）吸引ノズル柄（４）には、蛇腹ホース（６）を取り付ける。
（ホ）蛇腹ホース（６）の反対側の端には、掃除機本体に接続するノズル（７）を取り付ける。
本発明は、以上の構成よりなっている。
本発明を使用する際は、上記のブラシ型ノズルを電気掃除機の吸引パイプの部分をはずし、掃除機本体の吸引ホースにはめ込む。ブラシ型ノズルの吸引ノズル柄（４）を手で握り、カーペットをなでるように動かし、ゴミを集めながら、吸引ノズル口（３）で吸い込ませる。
【図面の簡単な説明】
【０００７】
【図１】本発明のブラシ面の説明図
【図２】本発明の側面図
【図３】本発明の下から見た斜視図
【図４】本発明の使用状態を示す斜視図
【図５】本発明の分解斜視図
【符号の説明】
【０００８】    １  ブラシ取り付けワク
２  洋服用ブラシ
３  吸引ノズル口
４  吸引ノズル柄
５  切り込み
６  蛇腹ホース
７  掃除機本体に接続するノズル
８  吸引ノズル口はめ込み用穴
【図１】
2006289039.tif 000003
【図２】
2006289039.tif 000004
【図３】
2006289039.tif 000005
【図４】
2006289039.tif 000006
【図５】
2006289039.tif 000007
(57)【要約】      （修正有）【課題】  磁石を人体に貼り付けて治療する場合、磁石の極性を人体の皮膚に対し垂直あるいは平行に当接するだけで、各々固有人体に有効な磁力線方向で当接、固定されていなかった。【解決手段】  Ｏリングテスト等の検査により、その人体に有効な磁力線の方向を見つけ出す。そして、球形もしくは曲線がたを有する磁性体の曲面に磁性体の極性を示す印を付け、その方向に合わせて人体皮膚面に当接して貼着する。磁石１を人体に固定するには、磁石１に接着剤、のり等を付けた後に透明感のあるシール４を当接して固定する。あらかじめ磁石1にその極性が判るように色を塗るあるいは形を変えるのが好都合である。また、カルテ等に有効な磁力線の方向を記載しておく。【選択図】        図１
2006289007.tif 000002
【特許請求の範囲】
【請求項１】
曲線がたの先端は磁力線方向を示す印を付け、該人体に当接固定手段有する事を特徴とした磁石。
【請求項２】
曲線がたの先端は極性を示す印を付け、該それぞれの極性を認識できる様に各々違った印を有する事を特徴とした磁石。
【請求項３】
曲線がたの先端は磁力線方向を示す印を付け、該人体に当接固定手段にシールを用いた事を特徴とした磁石。
【請求項４】
曲線がたの先端は磁力線方向を示す印を付け、該曲線がたの先端は磁力線方向を示す印を付けた後人体に当接固定手段を塗布する事を特徴とした磁石の製造方法。
【請求項５】
曲線がたの先端は極性を示す印を付け、該それぞれの極性を認識できる様に各々違った印を付け、該それぞれの極性を認識できる様に各々違った印を付けた後に人体に当接固定手段を塗布する事を特徴とした磁石の製造方法。
【請求項６】
メッキをした後に、曲線がたの先端に極性を示す印を付け、該それぞれの極性を認識できる様に各々違った印を付け、該それぞれの極性を認識できる様に各々違った印を付けた後に人体に当接固定手段を塗布する事を特徴とした磁石の製造方法。
【発明の詳細な説明】
【発明の詳細な説明】
【技術分野】
【０００１】  本発明は、磁石を利用して治療する部材に関するものである。
【背景技術】
【０００２】  従来の技術で、磁石を人体に張り付ける治療は、ただ磁石の極性を人体の皮膚において垂直、若しくは、平行に当接するだけだった。
【発明が解決しようとする課題】
【０００３】  本発明は、磁石の力の方向を人体に磁石を当接して人体に有効な方向を検査して、その磁石を各々の固有人体に有効な方向で当接し固定するものである。
【課題が解決しようとする手段】
【０００４】  球形、若しくは、曲線がたを有する磁性体は、磁力線の方向を示す印を曲面に付け、Ｏリングテスト等でその人体に有効な磁力線方向を見つけだし、固定をする。
【０００５】  又、その際その曲面に極性を示す印を付ける。この事によりその穴に有効な磁力方向与える事ができ、且つその極性の方向をカルテ等に書き残すことが出来る。
【発明を実施するための最良の形態】
【０００６】  本発明の実施の形態を実施例にもとづき図面を参照して説明する。
【実施例】
【０００７】  図１は、本発明を示した図である。【０００８】  磁石１は球形をしており、磁石１の大きさは、直径１ｍｍから１０ｍｍとしないと固定もし難く、効力も小さくなる為この大きさとする。【０００９】  磁石１は、人体皮膚面２に当接しており磁力方向３の面には図説しないが各々Ｓ極Ｎ極が分かる様に、色を塗る、若しくは、かたちを変える等して、外見から極性の違いが判断出来るよう製造する。【００１０】  色を塗る場合スプレイー、若しくは刷毛を使う。【００１１】  その後、磁石１には人体当接接着手段である、接着剤、のり等の当接固定手段を磁石１の表面にスプレー、刷毛等を用いて塗り製造する。【００１２】  尚、磁石１の本体がネオジウム等の錆びやすい素材の場合、メッキをしてからＳ極Ｎ極の印を前記の様に付ける。【００１３】しかし、コバルト磁石、フェルライト等の錆び難い素材を鍍金する場合も前記のようにメッキした後Ｓ極Ｎ極の印を前記の様に付ける。【００１４】  磁石１に接着剤、のり等を付けた後にシール４を磁石１に当接固定し製造する。【００１５】  このシール４は磁石１の印が見える透明感がある素材を用いて製造する。【００１６】  尚、前記、磁石１、シール４が接着剤を使用する場合、アクリル系接着剤を使用する方がかぶれにくい為より良く、ゴム系接着剤を使用する場合、かぶれ止めを混ぜて使用する方が良い。【００１７】  無論アクリル系接着剤を使用する場合でもかぶれ止めを使用しても良い。【００１８】  尚、磁石１は球形をしなくても曲線を有する形状ならば良く、又、その磁力線の力は、２千ガウス以下３５０ガウス以上にするがより良いが、３５０ガウス未満でも良い。【００１９】  前記磁石１の製造過程は、その素材を鍍金させてから磁性させ、その後各々極性が分かるように印しを付け、その後磁石１に人体当接固定手段を付けるが、若しくは、磁石１の素材を磁性させてから、その後、各々極性が分かるように印しを付け、その後磁石１に人体当接固定手段を付けて製造する。【００２０】  図１では、磁石１は球形をしているが、突出状の曲面を有する形状であれば磁力線の方向を変えて固定出来る為、突出状の曲面を有する形状であればどのような形でも良い。たとえばラクビーボール状、球状に近い形等である。
【発明の効果】
【００２１】  各々固有人体に各々有効な磁力線方向に磁石を固定、治療する事が出来た。
【図面の簡単な説明】
【００２２】
【図１】  本発明の縦断面図である。
【符号の説明】
【００２３】  １…磁石
２…人体
３…磁力方向
４…シール
【図１】
2006289007.tif 000003
(57)【要約】【課題】ハイヒールやブーツを履くことで、まき爪や外反母趾になる女性が増えている。外反母趾に関しては予防靴も作られているが、まき爪に関してはまだその予防対策はとられていない。また、ファッション性を重視する女性のニーズに答え、外見上は靴のデザインに影響を与えたくない。【解決手段】靴の内部に、１のようなベルトを設け、つま先が前に滑らないようにし、それにより、足指が靴から圧迫されるのを防いだ。【選択図】  図１
2006289003.tif 000002
【特許請求の範囲】
【請求項１】
靴の内部に足を固定するためのベルトを持ち、そのベルトによりつま先が靴から圧迫されるのを防ぐことで、まき爪や外反母趾の予防をすることの出来る靴。
【発明の詳細な説明】
【技術分野】
【０００１】  本発明は、まき爪や外反母趾を予防する靴に関するものであり、具体的には、ハイヒールやブーツ（特に、つま先の尖ったもの）等の改良に関するものである。
【技術背景】
【０００２】  従来の外反母趾予防靴として、足指の間に仕切りや鼻緒を設けたものがある（例えば、特許文献１参照）。
また、従来のハイヒール用のつま先を保護する発明としては、同様にハイヒールの指先に仕切りを設けたもの（例えば、特許文献２参照）や、つま先にクッション性のものをかぶせた、ハイヒール用つま先ガードなどがある（例えば、実用新案文献１参照）。
【特許文献１】特開２００１−１２８７０５
【特許文献２】特開平１０−１５５５０５
【実用新案文献１】
実登３０９１５２８
【発明の開示】
【発明が解決しようとする課題】
【０００３】  つま先の尖ったヒールの高い靴を履くことで、指先が圧迫され、足の親指がまき爪になったり、外反母趾になったりする女性が増えている。しかし、若い女性はファッション性を重視するあまり足の痛みを我慢してまで、そのような靴を履く場合も多い。
最近では、外反母趾に関してはその予防靴などが作られているが、今のところ、まき爪を予防しようという靴はない。
また、従来の外反母趾予防靴は、外反母趾を矯正するための特殊な靴というイメージが強く、そのためデザインが限られており、ファッション性に優れない。また、従来の予防靴は、足の指先に仕切りが設けられているので、特殊な靴下か裸足でないと履くことができない。したがって、靴下やストッキングをはく場合などは適さない。以上より、すでに外反母趾になってしまった人がその矯正のために履くことはあっても、足の状態が健康な人が進んで履くとは考えにくく、予防の効果はほとんどないと思われる。
さらに、つま先ガードなどは、あくまでつま先にかかる負荷を軽減するためのものであって、負荷を取り除くものではない。この場合、足の痛みは軽減できるかもしれないが、完全に痛みを取り除けない。
そこで本発明は、つま先の尖ったヒールの高い靴を履きたいという女性のニーズにこたえ、そのデザインを変えずに、まき爪や外反母趾を予防すること、また、すでにまき爪になってしまった人でもはけることを目的とした。また、従来のハイヒールはつま先が圧迫を受けるのと同時に、靴もつま先から圧迫を受けており、それにより図３のような型崩れを起こすが、それも防ぐことができる。
【課題を解決するための手段】
【０００４】    足を靴に固定するためには、足指の付け根と足首の２点で固定すれば、しっかり固定されるのだが、従来のハイヒールは、２のように靴の甲皮を丸みを帯びたデザインに仕上げるため足指の付け根のまわりに空間が出来る。これにより、つま先が前に滑る余裕が生まれてしまう。
そこで、１のような足指の付け根を押さえるベルトを設けることで、靴の内部にサンダル形状を作り、足が前に滑るのを防ぐ。
【請求項１】
【発明の効果】
【０００５】  本発明により、靴のデザインに影響を与えることなく、まき爪や外反母趾の予防が可能であり、また普通の靴下やストッキングをはいたまま靴がはける。つまり、本発明により、ファッション性を重視する女性のニーズにこたえ、つま先の尖ったヒールの高い靴を履きながら、しかもそれが起因のひとつとされた、まき爪や外反母趾を予防でき、また、すでにまき爪の人でもはくことが可能となる。同時に、靴がつま先から圧力を受けることによって起きていた図３のような型崩れも防ぐことが出来る。
【図面の簡単な説明】
【０００６】
【図１】実施例を示した側面図である。
【図２】実施例を示した上面図である。
【図３】従来の靴を示した上面図である。
【図号の説明】
【０００７】１  つま先を固定するためのベルト
２  足指の付け根との間に隙間が出来る靴の甲皮の一部
３  足と靴があたり型崩れを起こす部分
【図１】
2006289003.tif 000003
【図２】
2006289003.tif 000004
【図３】
2006289003.tif 000005
(57)【要約】      （修正有）【課題】低層住宅において火災時に、二、三階より避難者が飛び降りて、捻挫、骨接をするなど、また、最悪の場合には死亡にいたる事態もある。避難者が安全、かつ迅速に緊急避難を出来るようにする事が課題である。【解決手段】本体フレームに受止部をスプリングで取付、安全用エアーバツク、前部キャスター付脚と共に床下に格納する。緊急時には、二、三階のヘルメット掛け兼用スイツチ１０よりヘルメツトを外すとスイツチが入り、モーターが作動し、本体を外に押出す。又、本体押出中、電動コンプレツサー１２のエアータンクにある安全弁のピンを引抜くため、エアーがエアーホース１３を通り、エアーバツクを膨らまし、安全を確保する。ベランダの緊急避難用扉１９は本体の自動配置が完了する時点で、安全ロツクピンスイツチ１７が入り、安全ロツク装置１８のロツクが解除され、緊急避難用扉を開けられる。【選択図】図１
2006289010.tif 000002
【特許請求の範囲】
【請求項１】
本体フレーム（１）に受止部（２）をスプリング（４）で取付、また、本体（１）に安全用エアーバツク（３）、前部キャスター付脚（５）、前部キャスター付脚引出用スプリング（６）、前部安全カバー（１４）を取付け床下に収納する。
バツテリー（８）は外部、住宅床下にモーター（７）、電動コンプレツサー（１２）、エアーホース（１３）を取付る。
緊急時には、二、三階のヘルメット掛け兼用スイツチ（１０）よりヘルメツトを外すとスイツチが入り、電流が流れ、モーターが作動し、Ｖベルト（９）が回転して、本体押出しギヤ（１６）が回り、本体を外に押出す。
本体が作動すれば警報ブザー（２０）が鳴るものとする。
本体の押出が完了すると、モーター停止スイツチ（１１）が押されて、モーター（７）を停止する。
又、本体押出中、本体と接続された細いチェーンが引かれて、電動コンプレツサー（１２）のエアータンクにある安全弁のピンを引抜くため、エアーがエアーホース（１３）を通り、エアーバツクを膨らまし、安全を確保する。
エアー不足が起きた時には、自動的に電動コンプレサーを回し、タンク内のエアーを十分に蓄え、圧力が一定になるように保つ事とする。
スイツチ及び各機器の配線は断熱効果のある不燃材で保護するか、または、外部配線とする。
ベランダの緊急避難用扉（１９）は本体の自動配置が完了する時点で安全ロツクピンスイツチ（１７）が入り、安全ロツク装置（１８）のロックが解除され緊急避難用扉を開ける事ができる。
安全確保のため緊急避難用扉は内開とする。
上記の低層住宅用飛降、受止型緊急避難装置。
【発明の詳細な説明】
【発明の技術分野】
【０００１】この発明は、低層住宅、二、三階用の飛降、受止型緊急避難装置に関するものである。
【背景技術】
【０００２】従来は、低層三階建以下の住宅には、緊急避難器具は設置義務が無く、低層住宅はほぼ全世帯、緊急避難器具は設置されていないものであり、特に火災発生時は、二、三階より飛び下り避難する為、避難者が捻挫、骨接などをする事があり、最悪の場合は死亡にいたる場合もあつた。
【発明が解決しようとする課題】
【０００３】本発明は、緊急時（特に火災発生時）に避難者が避難する際に大怪我や死亡する等の、大きな危険性を取り除き、安全かつ迅速に緊急避難を出来るようにする事が課題である。
【課題を解決するための手段】
【０００４】いまその解決手段を図面にて説明すれば、本体フレーム（１）に受止部（２）をスプリング（４）で取付、また、本体（１）に安全用エアーバツク（３）、前部キャスター付脚（５）、前部キャスター付脚引出用スプリング（６）、前部安全カバー（１４）を取付け床下に収納する。バツテリー（８）と住宅床下にモーター（７）、電動コンプレツサー（１２）、エアーホース（１３）を取付る。
緊急時には、二、三階のヘルメット掛け兼用スイツチ（１０）よりヘルメツトを外すとスイツチが入り、電流が流れ、モーターが作動し、Ｖベルト又はチエーン（９）が回転して、本体押出しギヤ（１６）が回り、本体を外に押出す。
本体が作動すれば警報ブザー（２０）が鳴るものとする。
本体の押出が完了すると、モーター停止スイツチ（１１）が押されて、モーター（７）を停止する。
又、本体押出中、本体と接続された細いチェーンが引かれて、電動コンプレツサー（１２）のエアータンクにある安全弁のピンを引抜くため、エアーがエアーホース（１３）を通り、エアーバツクを膨らまし、避難者の安全を確保する。
エアー不足が起きた時には、自動的に電動コンプレサーを回し、タンク内のエアーを十分に蓄え、圧力が一定になるように保つ事とする。
スイツチ及び各機器の配線は断熱効果のある不燃材で保護するか、または、外部配線とする。
ベランダの緊急避難用扉（１９）は本体の自動配置が完了する時点で安全ロツクピンスイツチ（１７）が作動して安全ロツク装置（１８）のロックが解除され緊急避難用扉を開ける事ができる。
安全確保のため緊急避難用扉は内開とする。
【発明を実施するための最良の形態】
【０００５】本発明は、以上のような構造であるから、これを使用するときは、本体フレームに受止部をスプリングで取付、安全用エアーバツク、前部キャスター付脚、脚引出用スプリング、前部安全カバーを取付け、床下に格納する。
バツテリー、住宅床下にはモーターをセツトし、Ｖベルトを押出しギャのプーリーに掛ける。電動コンプレサーのエアータンクにエアーホースを取付、タンクの安全弁ピンと本体を細いチェーンで結ぶ。
バツテリーと各機器及びスイツチ間を配線して組立を完了する。
本発明の使用は、ヘルメツトを引抜き、着用して、緊急避難扉を内側に開き、飛び下り、膝を抱え込み、受止部に降りればよい。
【発明の効果】
【０００６】本発明により、緊急時（特に火災発生時）には、避難者が逃げ場を失つたり、飛下りて捻挫や骨接、また、最悪時の死亡などを防ぐのに非常に大きな効果がある。
【図面の簡単な説明】
【図１】本発明の斜視図
【図２】ベランダの斜視図
【符号の説明】
１は本体                                １２は電動コンプレサー
２は受止部                              １３はエアーホース
３は安全用エアーバツク                  １４は住宅基礎部
４は前部安全カバー                      １５は前部キャスター付脚
５は前部キャスター付脚                          ベースコンクリート
６は前部キャスター付脚引出用スプリング  １６は本体押出用ギヤ
７はモーター                            １７は安全ロックピンスイツチ
８はバツテリー                          １８は安全ロック装置
９はＶベルト又はチエーン                １９は緊急避難用扉
１０はヘルメット掛け兼用スイツチ          ２０は警報ブザー
１１はモーター停止スイツチ
【図１】
2006289010.tif 000003
【図２】
2006289010.tif 000004
(57)【要約】      （修正有）【課題】中高年の運動不足の解消、女性のダイエットの為のフィットネス、高齢者の運動機能回復のリハビリ及び介護予防のための筋力トレーニングには、ダンベルや鉄アレーがよく用いられる。しかし、それらは、金属の塊であり誤って落下させたとき体や床を傷つける危険性がある。つらい訓練を髣髴させ嫌気をさして継続することができずに目的を達成することが困難になっている。【解決手段】縫いぐるみの中に比較的比重の高い金属粒を詰め込む。ウエイト素材が金属粒なので誤って落下させたときでも体や床を傷つけることがない。また、縫いぐるみは、一般的に老若男女に広く愛され友達やペットの感覚で癒しの効果も期待できる。リハビリ室や部屋に置くとインテリアの一部となり思わず手に取り一緒にイチ、ニー、サン、シー、と遊び感覚で心を通わせながら、また、励ましあいながら運動ができるので継続することの助けになり、目的を達成することができる。【選択図】図１
2006289023.tif 000002
【特許請求の範囲】
【請求項１】
縫いぐるみや成型されたキャラクター物の中に金属粒を詰め込んだことを特徴とするウエイト。
【請求項２】
ウエイト素材である金属粒を出し入れできる開閉口を設けたことを特徴とする請求項１記載のウエイト。
【発明の詳細な説明】
【技術分野】
【０００１】本発明は、中高年の運動不足の解消、女性のダイエット、高齢者の運動機能の回復のリハビリ、介護予防のための筋力トレーニングに用いる錘に関するものである。
【背景技術】
【０００２】一般的に運動不足の解消、ダイエット、運動機能の回復のリハビリ、筋力トレーニングに用いる錘としてはダンベルや鉄アレーが公知である。【０００３】
【特許文献１】
【発明の開示】
【発明が解決しようとする課題】
【０００４】ダンベル、鉄アレーは、金属の塊であり誤って落下させたとき体や床を傷つける危険性がある。【０００５】運動不足の解消、ダイエット、リハビリ、筋力トレーニングの目的達成の第一のポイントは継続することである。しかし、ダンベルや鉄アレーは、金属の塊であり無機質で冷たさを感じる。特に、高齢者においては、リハビリや筋力トレーニングは、大変つらいものがあり、ダンベルや鉄アレーを見ただけで苦しい訓練を髣髴させ、継続することができずに目的達成が困難になっている。
【課題を解決するための手段】
【０００６】  比較的比重の高い金属粒をウエイト素材として袋に入れたものを縫いぐるみや成型物のキャラクターの中に詰め込む。【０００７】落下防止のための着脱可能なストラップを設ける。【０００８】ウエイト素材を入れた袋を自在に出し入れできる開閉口を設ける。
【発明の効果】
【０００９】縫いぐるみや成型物の中に詰め込んだウエイト素材が金属粒なので誤って落下させたときでも体や床を傷つけることがない。【００１０】一般的に縫いぐるみや成型物のキャラクターは、老若男女に広く愛され友達やペットの感覚で癒しの効果があり、病院のリハビリテーション室や一般家庭の部屋に置いてもインテリアの一部となり、暖かささえ感じる。【００１１】キャラクターのかわいらしさや愛おしさで、思わず手に取り一緒に「イチ、ニイ、サン、シー、」と遊び感覚で心を通わせ、また、励ましあいながら運動ができるので継続する気持ちを助け、本来の目的を達成することができる。
【実施例１】
【００１２】本発明のキャラクターウエイトを図面に基ずいて詳細に説明する。【００１３】  図１は、縫いぐるみキャラクターウエイトの正面図である。１は、ぬいぐるみウエイトの本体。２は、縫いぐるみの中に入れた袋入りの金属粒。３は、落下防止のための帯状のストラップ。４は、ストラップ３を連結するためのリング。【００１４】図２は、ぬいぐるみキャラクターウエイトの裏面図である。５は、袋に入れた金属粒を出し入れするための開閉口。これにより、本体の洗濯や重量の変更が可能である。【００１５】図３は、体の各部位に固定するための補助ベルトである。【００１６】この発明のキャラクターウエイトは、上記のような構成であり以下使用方法を説明する。【００１７】図４は、ストラップ３を手首に通し本体１を手で持って運動している様子を示す図である。【００１８】図５は、下肢部の運動の負荷として図３の補助ベルトで固定した状態を示す図である。
【図面の簡単な説明】
【００１９】〔図１〕本発明の一部切欠正面図。
〔図２〕同上の一部切欠裏面図。
〔図３〕本発明を固定するための補助ベルト。
〔図４〕手持ち使用の状態を示す概略図。
〔図５〕補助ベルトで足首に固定した概略図
【符号の説明】
【００２０】  １．縫いぐるみ本体。
２．袋に入れた金属粒。
３．テープ。
４．リング。
５．開閉口。
６．テープ
７．マジックテープＡ面。
８．マジックテープＢ面。
９  縫合線
【図１】
2006289023.tif 000003
【図２】
2006289023.tif 000004
【図３】
2006289023.tif 000005
【図４】
2006289023.tif 000006
【図５】
2006289023.tif 000007
【手続補正書】
【提出日】平成17年6月24日(2005.6.24)
【手続補正２】
【補正対象書類名】明細書
【補正対象項目名】００１９
【補正方法】変更
【補正の内容】
【００１９】
【図１】  本発明の一部切欠正面図。
【図２】  同上の一部切欠裏面図。
【図３】  本発明を固定するための補助ベルト。
【図４】  手持ち使用の状態を示す概略図。
【図５】  補助ベルトで足首に固定した概略図。
(57)【要約】【課題】従来は、眉毛や前髪を切ると、毛くずが目に入って困っていた、上瞼や額にフィルムを貼り、目や顔に毛くずが付かない、毛くずフィルムを提供する。【解決の手段】フィルムを上瞼や額に貼ることを特徴とする。【選択図】  図１
2006289030.tif 000002
【特許請求の範囲】
【請求項１】
フィルムに形を作り上瞼に貼る毛くずフィルム。
【請求項２】
フィルムに形を作り額に貼る毛くずフィルム。
【発明の詳細な説明】
【技術分野】
【０００１】  この発明は、透明フィルムに形をつくり上瞼や、額に貼る毛くずフィルムに関するものである。
【背景技術】
【０００２】  従来、眉毛や前髪を切ると、毛くずが目にはいる。
【発明の開示】
【発明が解決しようとする課題】
【０００３】  これはつぎのような問題点があった。
目に毛くずが入るのはこまる。
本発明は、以上のような欠点をなくすためになされたものである。
【課題を解決するための手段】
【０００４】  上瞼に透明フィルムを貼る。
額に透明フィルムを貼る。
以上の構成よりなる毛くずフィルムである。
【発明の効果】
【０００５】  上瞼から透明フィルムで目を覆う、目に毛くずが入らない。
額から鼻にかけ、透明フィルムを覆うので、顔や目に毛くずが付かない。
薄い透明なフィルムは、目を開け、眉毛や前髪の容を整えるのに、なんらさしかえない。
【発明を実施するための最良の形態】
【０００６】  以下、本発明の実施例について説明する。
フィルム▲１▼を丸くきり、上瞼に貼る。
フィルム▲１▼を長方形に切り，額に貼る。
フィルムは、薄く透明な、目を傷つけないものを選ぶ、ラップフィルムやプラスチックフィルムなどが適している、貼り付きが悪い場合は、化粧水や乳液などを付けるとよい。
形は、丸形、ハート形、長方形など、好みで切ってよい、鼻孔は開ける。
本発明は、以上のような構造でこれを使用すると、眉毛や前髪を切るときは、目を開け、容を整えることができる。
【図面の簡単な説明】
【０００７】
【図１】本発明の１例を示す正面図である。
【図２】ほかの形態の正面図である。
【符号の説明】
【０００８】▲１▼  フィルム
▲２▼  目
▲３▼  眉
▲４▼  鼻
【図１】
2006289030.tif 000003
【図２】
2006289030.tif 000004